(57)【要約】
【課題】　構造が簡単で確実にサッシに取り付けることができ、サッシのクレセントが不用意に締められることを防ぐ窓締め防止具を提供する。
【解決手段】　障子２５の召し合わせ框２６のクレセント受け２８に取り付けられる保持部１２と、保持部１２の一端部に形成された持ち手１６を備える。保持部１２は、細長い板体の長手方向に沿ってスリット１４が設けられ、スリット１４にクレセント受け２８が差し込まれる。保持部１２をクレセント受け２８に差し込むことにより、クレセント２４を施錠するときの支障となり、クレセント２４の施錠を防ぐ。
【選択図】　　　　図１
0003100084.tif 000002
【実用新案登録請求の範囲】
【請求項１】
　障子の召し合わせ框のクレセント受けに取り付けられる保持部と、上記保持部の一端部に形成された持ち手が設けられ、上記保持部を上記クレセント受けに装着することによりクレセントを施錠するときの支障となり、クレセントの施錠を防ぐことを特徴とする窓締め防止具。
【請求項２】
　上記保持部は、細長い板体の長手方向に沿って形成され上記板体の長手方向の一端部に貫通するスリットが設けられ、上記保持部のスリットに上記クレセント受けが差し込まれて係止されることを特徴とする請求項１記載の窓締め防止具。
【請求項３】
　上記持ち手には、表面から突出した突起部が設けられていることを特徴とする請求項１または２記載の窓締め防止具。
【考案の詳細な説明】
【技術分野】
【０００１】
　この考案は、サッシの召し合わせ框に取り付けて、クレセントの施錠を防ぐ窓締め防止具に関する。
【背景技術】
【０００２】
　従来、マンションなどの集合住宅において、自室の掃き出し窓からベランダに出ている間に、乳幼児が室内からサッシのクレセントを締めてしまうことがある。乳幼児は、言葉が分からず、クレセントを開けるように外から言われても開けられない場合があり、人がベランダに閉じ込められてしまうことがある。
【０００３】
　これを防ぐために、特開２００２−３０９８３５号公報に開示されている窓締め防止具があった。これは、対峙させた一対の挟み片にバネを設け、咬持部を横長にし、当該部分の横長に沿って大きなすべり止めのゴムを設けたものである。
【０００４】
　この窓締め防止具の使用方法は、障子を開けた状態で、上枠のレールを窓締め防止具の咬持部で保持して取り付け、障子が閉まらないようにする。
【特許文献１】特開２００２−３０９８３５号公報
【考案の開示】
【考案が解決しようとする課題】
【０００５】
　上記従来の技術の場合、窓締め防止具はレールを挟んで取り付けられるため、挟み方が不充分の場合は、落下して外れることがあり、閉じ込め防止には十分ではなかった。また、サッシの障子を閉める方向に移動させると、窓締め防止具に当たって、サッシの障子の縦框が傷が付く恐れもあった。
【０００６】
　この考案は上記従来の問題点に鑑みてなされたものであり、構造が簡単で確実にサッシに取り付けることができ、サッシのクレセントが不用意に締められることを防ぐ窓締め防止具を提供することを目的とする。
【課題を解決するための手段】
【０００７】
　本考案は、障子の召し合わせ框のクレセント受けに取り付けられる保持部と、上記保持部の一端部に形成された持ち手が設けられ、上記クレセント受けにクレセントを施錠するときに支障となりクレセントの施錠を防ぐ窓締め防止具である。
【０００８】
　また、上記保持部は、細長い板体の長手方向に沿って形成され上記板体の長手方向の一端部に貫通するスリットが設けられ、上記保持部のスリットに上記クレセント受けが差し込まれて係止される。上記持ち手には、表面から突出した突起部が設けられていてもよい。
【考案の効果】
【０００９】
　本考案の窓締め防止具は、簡単で確実にクレセントの施錠を防ぎ、乳幼児のいたずら等による施錠によって、ベランダへ締め出されることを防ぐ。
【考案を実施するための最良の形態】
【００１０】
　以下、この考案の実施形態について図面に基づいて説明する。図１、図２はこの考案の一実施形態を示すものであり、この実施形態の窓締め防止具１０は、細長い板体である保持部１２が設けられている。保持部１２の長手方向に沿う中心には、保持部１２の保持部１２ａの基端部１２ｂから先端部１２aに貫通したスリット１４が形成されている。保持部１２の先端部１２aは、スリット１４の内壁面に連続する角部とこの角部に連続する一つの角部が、差し込みやすいように面取りされて丸められている。
【００１１】
　保持部１２の、先端部１２aと反対側には、保持部１２よりも少し幅が広く設けられた持ち手１６が一体に形成されている。持ち手１６の、スリット１４と反対側の端部付近には、透孔１８が設けられ、持ち手１６の、スリット１４寄りの部分には、持ち手１６の取り扱い時の補助となる突出部２０が設けられている。突出部２０は、持ち手１６に対してほぼ直角に、側方へ突出している。
【００１２】
　次に、この考案の窓締め防止具１０の使用方法について図１に基づいて説明する。図１はサッシの縦框の召し合わせ部であり、図面右側の障子２１は室内側に位置しこの障子２１の召し合わせ框２２に、クレセント２４が取り付けられている。クレセント２４にはレバー３０が回転可能に取り付けられ、レバー３０を回転させると、クレセント２４の突没自在な爪２４ａが、後述するクレセント受け２８に向かって移動する。図面左側の障子２５は室外側に位置しこの障子２５の召し合わせ框２６には、クレセント２４に対向する位置にクレセント受け２８が取り付けられている。
【００１３】
　そして、障子２１，２５が閉じられてクレセント２４が施錠されるのを防止する際には、クレセント受け２８に、上方から窓締め防止具１０を取り付ける。このとき、窓締め防止具１０の保持部１２のスリット１４に、クレセント受け２８が差し込まれ、保持部１２の弾性力により係止される。これにより、クレセント受け２８に窓締め防止具１０を取り付けた状態で、クレセント２４を施錠する方向にレバー３０を回転させても、クレセント２４の爪２４ａが窓締め防止具１０に当接し、施錠することを防ぐ。
【００１４】
　この実施形態の窓締め防止具１０によれば、簡単な構造で確実にクレセント２４の施錠を防ぎ、乳幼児のいたずらや誤操作による施錠によってベランダへ締め出されることを防ぐ。しかも、乳幼児が窓締め防止具１０に触っても、簡単に外れることがなく、安全である。窓締め防止部１０のクレセント受け２８への着脱は、保持部１２のスリット１４にクレセント受け２８を差し込み、保持部１２の弾性により係止されているだけであり、着脱操作が容易である。また、障子２１，２５や召し合わせ框２２，２６を痛めることもない。
【００１５】
　なお、この考案の窓締め防止具は、上記実施の形態に限定されるものでなく、保持部、スリット、持ち手など各部材の形状は、クレセント受けの形状に合わせて適宜変更可能である。取りつけるクレセント受け素材も合成樹脂や金属など、適宜設定可能である。
【図面の簡単な説明】
【００１６】
【図１】この考案の一実施形態の窓締め防止具の使用状態を示す斜視図である。
【図２】この考案の一実施形態の窓締め防止具の上面図（a）、正面図（b）、左側面図（ｃ）である。
【符号の説明】
【００１７】
　１０　窓締め防止具
　１２　保持部
　１４　スリット
　１６　持ち手
　１８　透孔
　２０　突出部
　２１，２５　障子
　２２，２６　召し合わせ框
　２４　クレセント
　２８　クレセント受け
　３０　レバー
【図１】
0003100084.tif 000003
【図２】
0003100084.tif 000004